(57)【特許請求の範囲】
【請求項１】
秤量が８０ｇ／ｍ2 より軽くて平滑な不織布シートか、又は、表裏が透けて見える程に密度が小さい不織布層に台紙が粘着剤で貼られている複合式の不織布シートを、オフセットカラー印刷部に１枚ずつ送るための給紙装置であって、
多数枚の不織布シートが積み重ねて載せられる載置台と、積み重ねた不織布シートを最上層のものから１枚ずつ送り出す繰り出し機構とを備えており、前記繰り出し機構は、最上層の不織布シートのうち送り方向に向かって見た背面視において手前側の端部寄り部分を吸着して吸い上げる第１吸口と、最上層の不織布シートのうち前記背面視において前記第１吸口よりも前方の部分を吸い上げて前進動する第２吸口と、第１吸口で吸い上げられた不織布シートと後続の不織布シートとの間に空気を後方から吹き込む噴気ノズルと、最上層の不織布シートを前記背面視において前記第１吸口よりも左右外側の位置において上方から軽く押す押さえ部材とを備えており、
前記第１吸口と第２吸口とは前記背面視において左右一対ずつ配置されていると共に、前記背面視において前記第１吸口を前記第２吸口よりも左右内側に配置している、
という構成であって、
前記第１吸口は下向き凹の碗形の形状である一方、前記第２吸口のうち不織布シートに当接する部分は前記第１吸口の外径より小径の筒状に形成されており、更に、前記噴気ノズルは、前記背面視において左右中間部に配置された第１噴気ノズルと、前記第１噴気ノズルの左右両側に配置した第２噴気ノズルとから成っている、
オフセットカラー印刷機用の不織布シート給紙装置。
【請求項２】
秤量が８０ｇ／ｍ2 より軽くて平滑な不織布シートか、又は、表裏が透けて見える程に密度が小さい不織布層の下面に台紙が粘着剤で貼られている複合式の不織布シートを、請求項１記載した不織布シート給紙装置にてオフセットカラー印刷部に１枚ずつ送ることにより、前記不織布シートにカラー印刷を施す印刷方法であって、
前記第２噴気ノズルからエアーを噴出させた状態で第１吸口及び第２吸口を下降させてから上昇させることで最上層の不織布シートを後端部において吸い上げ、次いで、第１吸口の吸引を止めて第２吸口を前進動させると共に第１噴気ノズルからエアーを噴出させる、という手順で不織布シートを前記印刷部に向けて順次繰り出し、繰り出された不織布シートに前記オフセットカラー印刷部で印刷を施す、
不織布シートの印刷方法。
【発明の詳細な説明】
【技術分野】
【０００１】
本願発明は、オフセットカラー印刷機用の不織布シート給紙装置、及び不織布シート印刷方法に関するものである。
【背景技術】
【０００２】
フルカラー印刷の一方式としてオフセット印刷がある。このオフセット印刷には四角形にカットしたカットシートが使用されており、積み重ねたカットシートは給紙装置において最上層のものから１枚ずつ繰り出されて印刷部に供給されている。そして、給紙装置での繰り出し機構には真空吸着が利用されており、最上層の１枚を後続のものから分離するための第１吸口と、分離した最上層のカットシートを送りローラに向けて繰り出すための第２吸口と、捌き又は送りのために不織布シートにエアーを後方から吹き込む噴気ノズルとを備えている（例えば特許文献１）。
【０００３】
第１吸口は昇降（上下動）のみ行うようになっている一方、第２吸口は昇降と前後動を行うようになっている。そして、特許文献１には明記されていないが、一般には、第１吸口はカットシートの送り方向に向いた背面視で左右２対ずつ配置されている一方、第２吸口は左右に一対配置されており、給紙装置の背面視で、第２吸口は内側の第１吸口と外側の第１吸口との間の部位に配置されていることが多い。
【特許文献１】特開平５−１８６０７４号公報（特に図５）
【発明の開示】
【発明が解決しようとする課題】
【０００４】
ところで、印刷可能なシート材の一つに不織布がある。この不織布シートは和紙のような独特の風合いをもっており、これにカラー印刷を施すと、艶を抑制した独特の質感を得ることができる。不織布シートには各種の厚さのものがあり、その種類はメーカーによって違いはあるが、例えば、１ｍ2 当たりの秤量（ＪＩＳＬ−１０８５に準拠した測定）でみて、４０ｇ，６０ｇ，８０ｇ，１００ｇ，１３０ｇ，１８０ｇといったような商品展開になっている。
【０００５】
そして、秤量が８０ｇ／ｍ2 以上の不織布シートにオフセット印刷機を使用してフルカラー印刷を施すことは行われているが、８０ｇ／ｍ2 よりも薄い不織布シートにオフセット印刷機でフルカラーで印刷することは現在まで行われていない。その理由は、不織布シートの厚さが秤量で８０ｇ／ｍ2 よりも薄くなると、給紙装置で不織布シートを繰り出すに際して不織布シートが踊る現象が生じて送り不良が多発するためである。
【０００６】
そこで、８０ｇ／ｍ2 よりも薄い不織布シートにカラー印刷を施す場合は、スクリーン印刷による重ね塗りの技法が用いられているが、この技法は、多色刷りであって厳密にはフルカラー印刷とは言えないため用途が限られる問題や、版がずれて汚れやにじみが生じやすいため精細な図柄は実現し難いという問題があった。
【０００７】
他方、不織布シートとして、エアコン用フィルターのように表裏が透けて見える程に密度が極めて小さくて見掛けの厚さが数ｍｍ（例えば４〜６ｍｍ）あるものがあり、これにフルカラーの印刷を施すことができると、美観に優れた不織布シート製商品を提供することができると言える。しかし、この密度が極めて小さい不織布シートにオフセット印刷でフルカラー印刷を施すことは不可能とされており、カラー印刷方法としては、前記したスクリーン印刷の重ね刷りしか採用されていないのが実情である。
【０００８】
本願発明はこのような現状に鑑み成されたものであり、ごく薄い不織布シートや逆に分厚くて密度がきわめて小さい不織布シートに、オフセット印刷でフルカラー印刷を施すことを可能ならしめることにより、不織布シートを素材とした物品（商品）の商品価値を高めること、及び、高い商品価値を有する不織布シート製物品を提供することを目的とするものである。
【課題を解決するための手段】
【０００９】
本願発明は、オフセット印刷機用の給紙装置とこれを使用した印刷方法とを含んでいる。給紙装置は、請求項１に記載したように、秤量が８０ｇ／ｍ2 より軽くて平滑な不織布シートか、又は、表裏が透けて見える程に密度が小さい不織布層に台紙が粘着剤で貼られている複合式の不織布シートを、オフセットカラー印刷部に１枚ずつ送るためのものである。
【００１０】
この給紙装置は、多数枚の不織布シートが積み重ねて載せられる載置台と、積み重ねた不織布シートを最上層のものから１枚ずつ送り出す繰り出し機構とを備えており、前記繰り出し機構は、最上層の不織布シートのうち送り方向に向かって見た背面視において手前側の端部寄り部分を吸着して吸い上げる第１吸口と、最上層の不織布シートのうち前記背面視において前記第１吸口よりも前方の部分を吸い上げて前進動する第２吸口と、第１吸口で吸い上げられた不織布シートと後続の不織布シートとの間に空気を後方から吹き込む噴気ノズルと、最上層の不織布シートを前記背面視において前記第１吸口よりも左右外側の位置において上方から軽く押す押さえ部材とを備えており、前記第１吸口と第２吸口とは前記背面視において左右一対ずつ配置されていると共に、前記背面視において前記第１吸口を前記第２吸口よりも左右内側に配置している。
【００１１】
そして、前記第１吸口は下向き凹の碗形の形状である一方、前記第２吸口のうち不織布シートに当接する部分は前記第１吸口の外径より小径の筒状に形成されており、更に、前記噴気ノズルは、前記背面視において左右中間部に配置された第１噴気ノズルと、前記第１噴気ノズルの左右両側に配置した第２噴気ノズルとから成っている。
【００１２】
本願発明の印刷方法は、請求項２に記載したように、秤量が８０ｇ／ｍ2 より軽くて平滑な不織布シートか、又は、表裏が透けて見える程に密度が小さい不織布層の下面に台紙が粘着剤で貼られている複合式の不織布シートを、請求項１記載した不織布シート給紙装置にてオフセットカラー印刷部に１枚ずつ送ることにより、前記不織布シートにカラー印刷を施す印刷方法であって、前記第２噴気ノズルからエアーを噴出させた状態で第１吸口及び第２吸口を下降させてから上昇させることで最上層の不織布シートを後端部において吸い上げ、次いで、第１吸口の吸引を止めて第２吸口を前進動させると共に第１噴気ノズルからエアーを噴出させる、という手順で不織布シートを前記印刷部に向けて順次繰り出し、繰り出された不織布シートに前記オフセットカラー印刷部で印刷を施すものである。
【００１３】
なお、「給紙装置」の文言は、「紙を供給する装置」なので、厳密に見ると、不織布シートを繰り出し供給する装置を対象としている本願発明からすると正確な表現とは言えず、正確には「不織布シートの繰り出し供給装置」というべきであるが、「給紙装置」は各種素材のシートの繰り出し供給装置の総称として一般化していると解されるので、本願では、表現を簡潔にするため「給紙装置」の文言を使用している。
【発明の効果】
【００１４】
従来のオフセット印刷機の給紙装置でごく薄い不織布シートを的確に送れない理由は正確に解明されていないが、不織布シートの通気度や腰の強さが影響していると考えられる。
【００１５】
つまり、不織布シートの秤量が８０ｇ／ｍ2 の場合の通気度（ＪＩＳＬ−１０９６準拠した測定）は概ね３０〜４０ｃｍ／ｓ程度であり（当然ながら、厚くなると通気度は低くなる）、この程度の通気度であると、４個の第１吸口で吸い上げてから２個の第２吸口で移送するにおいて、不織布シートは何とか正確な姿勢に保持されるが、不織布シートが薄くなって通気度がある程度以上に大きくなると、吸口への空気の流入によって不織布シートの吸着が不安定になったり、第１吸口と第２吸口での吸い上げのバランスが崩れたりして、送りに際しての踊りの現象が生じると推測される。
【００１６】
これに対して請求項１の発明によると、第１吸口による不織布シートの吸い上げと、第２吸口による不織布シートの繰り出しがごくスムースに行われ、不織布シートは踊り現象を生じることなくスムースに送られる。その結果、薄くて通気度が高い不織布シートについても、送り不良を全く又は殆ど生じることなく１枚ずつ印刷部に繰り出すことができる。これにより、ごく薄い不織布シート及び分厚くて密度が著しく小さい不織布シートを、精細なフルカラーの図柄が印刷された状態で提供できるに至った。
【００１７】
請求項１の構成において、ごく薄い不織布シート又はごく低密度で台紙付きの不織布シートを正確に高速で繰り出せる理由は正確には解明できていないが、実施形態の欄において推測を説明することとする。
【００１８】
秤量単位で８０ｇ／ｍ2 よりも薄い不織布シートや、厚くて表裏が透ける程の低密度の不織布シートを素材としてこれにオフセットによるフルカラー印刷が施された物品は実用化されていなかったが、本願発明により、これまで無かった新規な物品が提供されるに至った。これにより、ごく薄い不織布シートや低密度で厚い不織布シートに高い商品性を与えることができる。
【００１９】
本願発明を利用できる物品の例は多岐にわたる。一つの物品群は、従来の紙製印刷物と同じ機能を持っているものであり、これは、印刷された図柄自体が物品としての意味を持っている。例えばカレンダー、ポスター、壁紙、襖紙、書籍などである。
【００２０】
次の物品群として、本来の実用的価値を持っていてカラー印刷によって美粧効果が付与されるものがある。この物品群は、不織布シートのみで構成されているものと、他の素材と組合わさって製品化されているものとがあり、更に、両者とも、薄い不織布シートを素材にしているものと、見掛けの厚さが厚くて密度がごく小さい不織布シートを素材としているものとが挙げられる。
【００２１】
薄い不織布シートのみからなる物品の例としては、例えば、ブックカバー、風呂敷状の包装用シート、紐無しの包装袋、名刺入れ、テーブルナプキン、ランチョンマット、使い捨てハンカチなどが挙げられる。薄い不織布シートと他の部材とが複合した物品の例としては、例えば、紐付きの包装袋、マスク、面ファスナーが取り付いている車両座席用カバー、ファスナー付き小物入れ、提灯、団扇、扇子などが挙げられる。
【００２２】
厚くて密度が小さい不織布シートを使用した物品の例としては、エアコン用の吸気口に配置する吸塵フィルター、積層式マスク、飲食店や公共施設の壁や天井に広告や内装として貼るポスター類、半透明状衝立などが挙げられる。厚くて密度が小さい不織布シートを使用して建物の壁や天井用のポスター・看板類を製作すると、ボリューム感と陰影に富んだ独特の表現方式を実現することができる。上記した物品名は一部の例示であり、本願発明は他の物品にも適用できる。
【００２３】
また、商品の展示場や売り場では、商品の内容を展示したり客寄せの図柄を表示したりした販促用のポッププレートやポップシートが多用されているが、本願発明によると、フィルターのような目がきわめて粗い不織布シートにカラー印刷を施すことができるため、目がきわめて粗くて人目を惹く効果が高い不織布シートをポッププレートやポップシートに代用することが可能になり、その結果、集客効果の向上に貢献できると期待される。
【発明を実施するための最良の形態】
【００２４】
次に、本願発明の実施形態を主として図面に基づいて説明する。まず、図１〜図６に示した第１実施形態を説明する。
【００２５】
(1).印刷機の概略
図１において、本願発明の給紙装置が適用されたオフセット印刷機の大雑把なレイアウトを示している。すなわち、オフセット印刷機は、印刷部１と、印刷部１にシートを１枚ずつ供給する給紙装置２と、印刷済のシートを溜める排紙部３とから成っている。印刷部１は、周知のとおり、黒（墨）、青（藍）、黄、赤（紅）の４つの色を転移させる４つのパート４を備えており、各パート４は、圧胴５やブランケット胴６、版胴７等の胴群やインク供給機構を備えている。
【００２６】
給紙装置２は、多数枚の不織布シートＳを重ねた状態で載置できる載置台８と、積み重ねた不織布シートＳを印刷部１に向けて１枚ずつ搬送する搬送機構９とを備えている。本実施形態では搬送機構９はベルト式になっており、始端部にはフィードローラ１０を配置している。いうまでもないが、搬送機構９は全体をローラ式に構成するなど、別の形態にすることも可能である。図１で載置台８は宙に浮いた状態で表示しているが、図示しないフレームに吊支されている。また、敢えて述べるまでもないが、載置台８は不織布シートＳの繰り出しに伴って少しずつ上昇する。
【００２７】
(2).給紙装置の構成
次に、給紙装置２について図２以下の図面も参照して説明する。図２は部材の一部を観念的に表示した斜視図、図３のうち（Ａ）は概略平面図、（Ｂ）は（Ａ）のＢ−Ｂ視断面図、（Ｃ）及び（Ｄ）は部材の部分的な斜視図、図４のうち（Ａ）は要部の概略側面図、（Ｂ）は部材の断面図、図５及び図６は給紙状態を説明するための概略斜視図である。
【００２８】
本願では「前・後・左右」の文言を使用するが、この前後左右は、不織布シートＳの送り方向（図１及び図２の矢印Ａの方向）を向いた状態を基準にしている。また、背面や側面の文言については、給紙装置２を不織布シートＳの送り方向に向かって見た状態を背面視と称し、不織布シートＳの送り方向と直交から見た状態を側面視と称している。
【００２９】
給紙装置２は、載置台８に積み重ねた不織布シートＳのうち最上層から１枚ずつ繰り出すための繰り出し機構１２を備えている。図２に全体のレイアウトを示したように、繰り出し機構１２は、最上層の不織布シートＳを給紙装置２の背面視において手前側の端部近傍で吸い上げる真空吸着式の第１吸口１３と、背面視で第１吸口１３よりも前方に配置された真空吸着式の第２吸口１４と、不織布シートＳの上部に向けて後方からエアーを吹き出す第１及び第２の噴気ノズル１５，１６と、噴気ノズル１５，１６の群を挟んだ左右両側において最上層の不織布シートＳを軽く押さえる押さえ部材１７，１８とを備えている。
【００３０】
第１吸口１３は左右一対配置されており、かつ、左右中間点に近い部位に寄っている。他方、第２吸口１４も左右一対配置されているが、第１吸口１３の左右外側に配置されている。また、第２吸口１４も不織布シートＳの左右中間点に近い部位に寄っている。両吸口１３，１４はゴム又は軟質樹脂からなっている。
【００３１】
第１噴気ノズル１５は、第２吸口１４で不織布シートＳを移送するにおいて送りを補助するためのもので、吹き足とも呼ばれている。この第１噴気ノズル１５は、左右中間部に１個だけ配置されている。第２噴気ノズル１６は上層部の複数枚の不織布シートＳを分離させて第１吸口１３での吸い上げを容易ならしめるためのもので、捌き吹き口とも呼ばれている。第２噴気ノズル１６は第１吸口１３の後方に一対配置されている。
【００３２】
押さえ部材１７，１８は不織布シートＳの左右両端寄りに配置された第１押さえ部材１７と、背面視で第１押さえ部材１７よりも内側に配置された第２押さえ部材１８とから成っており、両者とも左右一対配置されている。第１押さえ部材１７は金属のブロック状の形態を成しており、ガイド部材１９に上下動自在に装着されている。第２押さえ部材１８は金属板（例えば板ばね）で平面視クサビ状に形成されており（他の形態でも良い）、先端が不織布シートＳに軽く当たっている。第２押さえ部材１８は第２噴気ノズル１６や第２吸口１４よりも左右外側に配置されている。
【００３３】
なお、不織布シートＳの押さえ手段としては、第１押さえ部材１７のみ又は第２押さえ部材１８のみを使用しても良いし、更に、他の形状の押さえ部材を採用することも可能である。
【００３４】
給紙装置２は、図示しない基枠に取り付けられたヘッド２０を備えており、第１吸口１３は左右長手の第１バー２１に装着されている。第１バー２１はリンク機構等の昇降手段を介してヘッド２０に上下動自在に取り付けられている。第１吸口１３の具体的な構成の例を図３（Ｃ）で示している。すなわちこの実施形態では、第１バー２１にクランプ材２２を介して第１筒体２３を装着し、第１筒体２３に第１吸口１３を装着している。
【００３５】
第１筒体２３には真空吸引のための管２４が接続されている。なお、第１筒体２３には緩衝用のばねが内蔵されており、第１吸口１３はばねに抗して若干の寸法だけ上昇し得る。第１吸口１３の断面形状の具体例を図４（Ｂ）に示している。第１吸口１３は下向き凹の碗状を成している。
【００３６】
第２吸口１４は左右長手の第２バー２５に取り付けられており、第２バー２５は、ヘッド２０に取り付けた左右一対のリンク２６によって所定寸法だけ前後動するようになっている。ヘッド２０の左右両側面には、第２バー２５の前後動をガイドする前後長手のガイドレール２７が配置されており、第２バー２５に設けたローラ（図示せず）をガイドレール２７に嵌め入れている。ヘッド２０には、リンク２６を回動させるため、クランク機構やカム等の駆動部を設けている。
【００３７】
第２吸口１４の具体的な取り付け構造の例を図３（Ｄ）に示している。すなわちこの例では、第２バー２５に固定したブラケット２８に第２筒体２９を上下動自在に装着し、第２筒体２９に真空吸引用管３０を接続すると共に第２吸口１４を取り付けている。第２筒体２９は、チューブ３１に内蔵したケーブル３２によって上昇されるようになっており、かつ、下降動はばね３３で行われる。第２吸口１４の断面形状の例を図４（Ｃ）で示しており、本実施形態の第２吸口１４の下面は第１吸口１３よりも小径になっている。
【００３８】
図３（Ｂ）に示すように、押さえ部材１７，１８はブラケット３４を介して第３バー３５に取り付けられており、第３バー３５はヘッド２０に取り付けられている。また、噴気ノズル１５，１６も図示しない補助部材を介してヘッド２０に取り付けられている。
【００３９】
(3).繰り出し動作
次に、主として図５及び図６に基づいて不織布シートＳの繰り出し動作を説明する。給紙装置２での不織布シートＳの繰り出し動作は従来と同様である。すなわち、第２噴気ノズル１６でエアーを噴出させた状態で第１吸口１３及び第２吸口１４を下降させてから上昇させることで最上層の不織布シートＳを後端部において吸い上げ、次いで、第１吸口１３の吸引を止めて第２吸口１４を前進動させると共に第１噴気ノズル１５からエアーを噴出させることにより、不織布シートＳを送り出すものである。
【００４０】
そして、紙を繰り出す場合や秤量が８０ｇ／ｍ2 以上の厚紙状の不織布シートを繰り出す場合は、図３（Ａ）に一点鎖線で示すように、第２吸口１４の左右外側にも第１吸口１３′が配置されていて合計４個の第１吸口１３，１３′が使用されているが、給紙装置２に合計４個の第１吸口１３，１３′が配置された給紙装置２に秤量が６０ｇ／ｍ2 や４０ｇ／ｍ2 の不織布シートＳを使用すると、第２吸口１４で送るにおいて不織布シートＳに踊り現象が生じて、フィードローラ１０に斜めの姿勢で送り込まれる等の不具合が多発するのであった。
【００４１】
秤量が例えば６０ｇ／ｍ2 であっても、シートが紙である場合は送り不良が多発することはない。従って、薄い不織布シートＳの送り不良が多発するのは、シートの薄さ自体に起因しているのではなく、他の理由に起因していると解される。その理由として考えられるのが、通気度が高いこと、及び、腰が弱いことである（両者は密接に関連している）。
【００４２】
そして、例えば６０ｇ／ｍ2 の不織布シートＳの場合、通気度は６０ｃｍ／ｓ程度もあり、これに伴って腰も弱く、すると、各吸口１３，１３′，１４による吸い上げにバラツキが生じたり、噴気ノズルからのエアーで不織布シートＳが煽られたりして、踊り現象が生じると推測される。通気度が高くなることに合わせて各吸口１３，１３′，１４の吸着力を高くすればよいとも考えられるが、本願発明者が実験したところ、これは逆効果であった。
【００４３】
これに対して、第１吸口１３と第２吸口１４及び噴気ノズル１５，１６とを本願発明のように配置すると、例えば秤量が６０ｇ／ｍ2 や４０ｇ／ｍ2 という薄くて通気度が高くて腰が弱い不織布シートＳであっても、踊り現象が生じることはなくて高速で連続繰り出しを行えた。本願発明において不織布シートＳの繰り出しを正確に行える理由は正確に究明できていないが、次のような幾つかの理由が推測される。
【００４４】
すなわちその一つは、両吸口１３，１４による吸い上げにより、図５に示すように不織布シートＳは左右第２押さえ部材１８の間の部分が持ち上げられて、この持ち上げられた部分Ｓ１と後続の不織布シートＳとの間に空間３６ができるが、第１吸口１３が左右一対しかないことにより、第１吸口１３の吸い上げによる不織布シートＳの変形の程度が小さくなり、このため、押さえ部材１７，１８から離脱すると同時に平らな状態に戻り、これにより、不織布シートＳの踊り現象が防止されると推測される。
【００４５】
また、第１吸口１３で不織布シートＳを吸い上げるに際して、不織布シートＳと押さえ部材１７，１８との間には左右方向の滑りが生じており、滑り量が大きいと摩擦抵抗が大きくなってずれやすくなるが、本願発明では既述のとおり不織布シートＳの変形量が小さいため、第１吸口１３による吸い上げに際してのずれが無くなるとも推測でき、この点が不織布シートＳの姿勢保持に貢献しているとも推測される。
【００４６】
更に、第２吸口１４で送るに際して第１吸口１３の吸引が解除されるが、第１吸口１３の吸引解除と第２吸口１４の前進動とはごく短時間に行われるため、４個の第１吸口１３を有する従来の構成では、４個の吸引解除の微妙な時間的ずれにより、いずれかの第１吸口１３が僅かながら吸着力を保持した状態で第２吸口１４による送りが始まり、そのため不織布シートＳの平面姿勢がずれてしまうことが予想されるが、第１吸口１３が２個である本願発明では、２つの第１吸口１３の吸引解除のタイミングのずれは無視できる程に小さいため、不織布シートＳのずれも生じない、といったことも推測される。
【００４７】
更に、図３（Ａ）及び図５では、左の第１吸口１３と第２吸口１４を結ぶ線、及び、右の第１吸口１３と第２吸口１４を結ぶ線を符号３７で表示しているが、これら左右の線３７は不織布シートＳの送り方向に向かって外側に傾斜しており、このため空間３６も不織布シートＳの進行方向に向いて広がり勝手になっているが、この空間３６の形態が好影響を与えて、第１噴気ノズル１５で吹き込まれたエアーが不織布シートＳの下面の全体に万遍なく広がって行くとも推測される。この点も、不織布シートＳの踊り現象を抑制していると推測される。
【００４８】
(4).本実施形態の利点
ところで、シートの通気度が低い場合は、吸着力は、吸口の外径の大きさに比例すると言える（但し、外径がある値を超えると真空度が低くなって吸着力は低下する）。しかし、通気度がある程度以上に高くなると、吸口の外径が大きいと空気の流入率が高くなって却って吸着力は低下すると言える。
【００４９】
そして、本実施形態のように第２吸口１４を第１吸口１３の外径より小径の筒状に形成すると、不織布シートＳをしっかりと吸着して正確に搬送できる利点がある。
【００５０】
(5).他の実施形態
図７では不織布シートの別例を示している。この例では、表裏が透けて見えるほどに密度が小さくてしかも見掛けの厚さが厚い（例えば３〜６ｍｍ）不織布シートＳ′を素材としており、この不織布シートＳ′を不織布層として、その裏面（下面）に薄い台紙（通常の紙）Ｄを粘着部Ｎで貼り付けている。粘着部Ｎは感圧性粘着剤から成っている。
【００５１】
粘着部Ｎは本実施形態では不織布シートＳ′に格子状に塗布しているが、全体にベタ塗りしたり、散点状に塗布したりしてもよい。そして、この台紙Ｄと不織布シートＳ′とが複合したシートを、第１実施形態の給紙装置２を有する印刷機に通すことにより、不織布シートＳ′の表面にフルカラーの図柄を印刷している。印刷すると不織布シートＳ′はローラで潰されて例えば１ｍｍ程度の厚さになる。
【００５２】
複合シートの給紙方法は第１実施形態と全く同じであり、８０ｇ／ｍ2 より小さい不織布シートＳの場合と同様に、踊り現象を生じることなく正確に高速で繰り出せた。また、台紙Ｄが存在することにより、印刷部１でも詰まりや見当のずれを生じることなく、微細な図柄をフルカラーで印刷することができた。
【００５３】
図７に示した不織布シートＳは、例えばエアコンの吸塵用フィルターに使用できる。この場合は、粘着部Ｎが不織布シートＳに残るように、例えば台紙に粘着抑制加工を施しておいて、台紙Ｄを剥がしてから、粘着部Ｎを利用してエアコンに貼り付ければよい。使用状態で不織布シートＳに粘着部Ｎが存在すると不都合がある物品の場合は、粘着部Ｎが台紙に残るように、台紙Ｄに対する粘着部Ｎの付着強度を不織布シートＳに対する付着強度よりも大きくしておいたらよい。
【００５４】
(6).その他
本願発明は上記の実施形態のほかにも様々に具体化できる。例えば本願発明に係る物品を製造する場合、大きなサイズのものを製造してから適当に裁断してもよいのである。
【図面の簡単な説明】
【００５５】
【図１】本願発明を適用した印刷機の概略側面図である。
【図２】要部の概略斜視図である。
【図３】（Ａ）は概略平面図、（Ｂ）は（Ａ）のＢ−Ｂ視断面図、（Ｃ）は第１吸口の具体例を示す斜視図、（Ｄ）は第２吸口の具体例を示す斜視図である。
【図４】（Ａ）は要部の概略側面図、（Ｂ）は第１吸口の断面図である。
【図５】不織布シートを吸い上げた状態での概略斜視図である。
【図６】不織布シートを送っている状態での概略斜視図である。
【図７】不織布シートの別例を示す図である。
【符号の説明】
【００５６】
Ｓ，Ｓ′  不織布シート
Ｄ  台紙
Ｎ  粘着部
２  給紙装置
８  載置台
９  搬送機構
１２  繰り出し機構
１３  第１吸口
１４  第２吸口
１５  第１噴気ノズル
１６  第２噴気ノズル
１７，１８  押さえ部材
【図１】
0004689529.tif 000002
【図２】
0004689529.tif 000003
【図３】
0004689529.tif 000004
【図４】
0004689529.tif 000005
【図５】
0004689529.tif 000006
【図６】
0004689529.tif 000007
【図７】
0004689529.tif 000008